(57)【特許請求の範囲】
【請求項１】
グリップ部の両側部に互いに向き合った脚部を備える把手であって、  この把手が、前記脚部に設けられた突部をプラスチック製容器の側部に設けた凹部に収めた状態で、当該容器の上下方向にグリップ部を沿わせて当該容器に備えられるように当該容器の成形にあたってのインサートとして当該容器に設けられると共に、
前記グリップ部には、当該グリップ部の左右方向に延びる溝が形成してあり、前記グリップ部の上端部を下方に押し込みながら当該グリップ部の中央部を前記容器の側部から離れ出す向きに強く引くことにより前記溝を中心として当該グリップ部を屈曲又は湾曲させて、前記容器の凹部から前記突部を抜き出し可能としてあることを特徴とするプラスチック製容器用把手。
【発明の詳細な説明】
【０００１】
【発明の属する技術分野】
この発明は、プラスチック製容器の把手の改良に関し、より詳細には、かかるプラスチック製容器を再生利用するにあたっての、当該容器と把手との選別作業を容易になし得るようにした当該容器の把手の提供に関する。
【０００２】
【従来の技術】
酒類、清涼飲料などの容器として、プラスチック製の容器、典型的には、ＰＥＴ（ポリエチレンテフタレート）製の容器が多量に用いられている。また、これらの容器には、当該容器の持ち運びの便宜のため、別体の把手が備えられることが少なくない。これらの把手は、容器から外れないように、通例、当該容器に強固に備え付けられている。典型的には、これらの把手は、前記容器の上下方向に沿ったグリップ部と、このグリップ部の上下両端に設けられた向き合った脚部とを有しており、この脚部の互いに向き合わない側、すなわち外側を容器の側部に設けられた凹所の凹所面に密着させ、かつ、この脚部に設けた突部を前記凹所面から容器の内方に窪まされた凹部に収めた状態で当該容器に備えられている。そして、かかる状態での容器への把手の備え付けは、通例、当該容器のブロー金型内に別途成形した前記把手をインサートとして配した後、ブローを施すことによりなされている。また、かかる把手は、容器と異なる材質のプラスチック材料により構成されることが少なくない。
【０００３】
こうしたことから、いわゆる廃プラスチックとなったこの種の容器を再生利用するにあたっては、先ず、容器と把手を選別した後でなければ、容器の洗浄、破砕、破砕により得られたフレークの洗浄、乾燥と続く再生処理工程に載せることができない場合が少なくなかった。
【０００４】
【発明が解決しようとする課題】
しかるに、かかる容器と把手の選別は、前記のように容器と把手とが強固に備え付けられているため、簡単には容器と把手とを分離することができず、典型的には、当該容器における把手が備え付けられている箇所にカッティングを施して、把手を容器から取り去る作業をなすことが余儀なくされていた。
【０００５】
そこでこの発明は、かかる従来の不都合を解消すること、特に、プラスチック製容器の再生利用をなすにあたり必要とされる、容器と把手との選別作業を容易に行えるようにして、かかる再生利用のための処理工程を簡素化することを目的とする。
【０００６】
【課題を解決するための手段】
前記目的を達成するために、この発明にあっては、プラスチック製容器用把手を、グリップ部１の両側部１ａ、１ａに互いに向き合った脚部２を備える把手であって、前記把手が、前記脚部２に設けられた突部２ａをプラスチック製容器３の側部３ａに設けた凹部３ｂに収めた状態で、当該容器３の上下方向Ｈにグリップ部１を沿わせて当該容器３に備えられるように当該容器３の成形にあたってのインサートとして当該容器３に設けられると共に、前記グリップ部１には、当該グリップ部１の左右方向に延びる溝１ｃが形成してあり、前記グリップ部１の上端部１ｄを下方に押し込みながら当該グリップ部１の中央部１ｂを前記容器３の側部３ａから離れ出す向きに強く引くことにより前記溝１ｃを中心として当該グリップ部１を屈曲又は湾曲させて、前記容器３の凹部３ｂから前記突部２ａを抜き出し可能としてある構成とした。
【０００７】
かかる構成によれば、前記溝１ｃを中心に前記グリップ部１を屈曲または湾曲させることができ、このグリップ部１の屈曲または湾曲により、前記容器３の凹部３ｂから前記突部２ａを抜き出させて、前記容器３と把手とを比較的容易に分離することができる。この結果、前記容器３を廃プラスチックとして再生利用するにあたり必要とされる、前記容器３と前記把手との選別作業の労力の軽減を図ることができる。
【０００８】
前記溝１ｃは、前記グリップ部１における前記容器３の側部３ａに向けられた側に設けてあっても、また、当該側部３ａに向けられた側と反対の側に設けてあっても、さらには、双方の側に設けてあっても良い。
【０００９】
また、前記脚部２に設けた突部２ａは、対をなす他の脚部２に向き合う側と反対の側に向けて突き出すように構成してあっても、対をなす他の脚部２に向き合う側に向けて突き出すように構成してあっても良い。
【００１０】
前記突部２ａが、対をなす他の脚部２に向き合う側と反対の側に向けて突き出すように設けてある場合には、この脚部２を他の脚部２に近付ける向きに前記グリップ部１を前記溝１ｃを中心に湾曲または屈曲させることにより、前記凹部３ｂからこの突部２ａを抜け出させることができる。
【００１１】
一方、前記突部２ａが、対をなす他の脚部２に向き合う側に向けて突き出すように設けてある場合には、この脚部２を他の脚部２から離れ出させる向きに前記グリップ部１を前記溝１ｃを中心に湾曲または屈曲させることにより、前記凹部３ｂからこの突部２ａを抜け出させることができる。
【００１２】
【発明の実施の形態】
以下、図１ないし図５に基づいて、この発明の実施の形態の典型例について、説明する。
【００１３】
なお、ここで図１は、この実施の形態にかかる把手の使用状態を理解し易いように、当該把手を備えた容器３を斜視の状態として示している。また、図２は、前記容器３における把手の備えられた部分を拡大して側方から見た状態として示している。また、図３は、容器３および把手を縦断面の状態として示している。また、図４は、把手におけるグリップ部１の上端部１ｄを下方に向けて押圧しながら、当該グリップ部１の中央部１ｂを側方に向けて引っ張って、当該グリップ部１を溝１ｃを中心に屈曲させ、当該上側脚部２’に設けられた突部２ａを容器３の凹部３ｂから抜き出させた状態を、容器３および把手を縦断面の状態として示している。また、図５は、容器３の側部３ａから把手を外した状態を、容器３および把手を縦断面の状態として、示している。
【００１４】
この実施の形態にかかる把手は、細長い平板状をなすグリップ部１と、このグリップ部１の両側部１ａ、１ａ、ここでは、当該グリップ部１の長さ方向の両側部において、当該グリップ部１の一面側から突き出す互いに向き合った板状の脚部２とを備えている。
【００１５】
この実施の形態にあっては、かかる把手は、グリップ部１から脚部２が一体に設けられている。
【００１６】
また、脚部２の突き出し端には、他方の脚部２に向き合わない側に向けて突き出す突部２ａが設けてある。
【００１７】
また、グリップ部１の長さ方向略中程の位置であって、当該グリップ部１における前記脚部２の突き出し側の一面側には、当該グリップ部１の幅方向に亙る溝１ｃが形成してある。
【００１８】
この実施の形態にかかる把手は、以上の構成を備えることから、前記脚部２をもって、中空のプラスチック製容器３の側部３ａに、この容器３の上下方向Ｈに前記グリップ部１の長さ方向を沿わせた状態で、備えさせることができる。
【００１９】
すなわち、前記容器３の側部３ａに凹所３ｃを形成すると共に、この凹所３ｃにおける当該容器３の上側にある凹所面３ｃ’に前記一対の脚部２の一方の外面２ｂが密着し、かつ、かかる凹所３ｃにおける当該容器３の下側にある凹所面３ｃ”に前記一対の脚部２の他方の外面２ｂが密着するようにする。さらに、前記容器３の両凹所面３ｃ’、３ｃ”にそれぞれ、当該容器３の内方に向けて窪む前記突部２ａの収まる凹部３ｂを形成する。そして、このように形成される容器３における前記上下凹所面３ｃ’、３ｃ”に前記脚部２の外面２ｂがそれぞれ密着し、かつ、前記各凹部３ｂに個別に前記突部２ａが収まるようにすることにより、前記凹所３ｃから外れ出さないように、前記把手を前記容器３の側部３ａに備えさせることができる。
【００２０】
プラスチック製容器３において前記把手を備えさせるにあたっては、典型的には、当該容器３のブロー金型内に別途成形した前記把手を所定の位置にインサートとして配し、この後ブローを施して前記容器３の側部３ａに前記のように把手を備えさせるようにする。
【００２１】
このようにプラスチック製容器３に備えさせることができるこの実施の形態にかかる把手は、当該把手のグリップ部１を把持して当該容器３を持ち運ぶなどする際には、前記容器３の凹所３ｃにおける上下凹所面３ｃ’、３ｃ”への脚部２外面２ｂの密着と、前記凹部３ｂへの突部２ａの収まりとにより、当該容器３から外れ出し難いものとされる。特に、把手を把持して容器３の持ち運びをなすにあたっては、内容物を収めた容器３の重さにより、前記把手における上側脚部２’と容器３の凹所３ｃにおける当該容器３の上側にある凹所面３ｃ’とが強く密着されることから、この上側脚部２’の突部２ａは容器３の凹部３ｂから一層抜け出し難いものとされる。
【００２２】
また、前記グリップ部１は、上側脚部２’の基部に対して上方に向けて突き出す上端部１ｄを有しており、この上端部１ｄにおける容器３の側部３ａに向けられた面１ｄ’が当該容器３における前記凹所３ｃに続く上部側面３ｄに接する構成としてある。したがって、この実施の形態にあっては、前記把手を把持した際にグリップ部１の中央部１ｂが容器３の側部３ａから離れ出す向きに単純に引かれても、このグリップ部１の上端部１ｄを前記容器３の前記上部側面３ｄに押し当ててこの中央部１ｂを湾曲させないように支えることができ、前記溝１ｃを中心とした前記グリップ部１の中央部１ｂを容器３の側部３ａから離れ出させる向きの湾曲などを生じさせない構成としてある。
【００２３】
また、かかる容器３の再生利用をなすにあたっての、当該容器３と把手との選別においては、グリップ部１を把持し、かつ、前記グリップ部１の上端部１ｄを下方に押し込みながら、当該グリップ部１の中央部１ｂを容器３の側部３ａから離れ出す向きに強く引く。このようにグリップ部１を引くと、前記グリップ部１の上端部１ｄと容器３の上部側面３ｄとが押し当てられ合わず、前記溝１ｃを狭めてこの溝１ｃを中心に当該グリップ部１の中央部１ｂを容器３外方に離れ出させるように当該グリップ部１を湾曲または屈曲させることができる。この結果、前記凹所面３ｃ’、３ｃ”と脚部２の外面２ｂとの間に隙間が開き、前記凹部３ｂから突部２ａを抜け出すことができる状態となり、この抜き出しにより前記容器３から把手をワンタッチで取り外すことができる。
【００２４】
この実施の形態にあっては、前記把手における上下脚部２の突部２ａがいずれも、当該脚部２の外面２ｂ側から突き出されており、かかる把手の成形が容易な構造を有する。したがってまた、前記グリップ部１の中央部１ｂを容器３の側部３ａから離れ出させる向き、すなわち、前記上下脚部２’、２”を近接させる向きに前記グリップ部１を湾曲または屈曲させた場合に前記凹部３ｂから前記突部２ａを抜け出せる構成とされており、前記グリップ部１における前記容器３の側部３ａに向きあった側に設けた前記溝１ｃにより、この向きの湾曲または屈曲は特になし易いものとされる。
【００２５】
【発明の効果】
この発明にかかる把手によれば、前記溝１ｃを中心に前記グリップ部１を屈曲または湾曲させることができ、このグリップ部１の屈曲または湾曲により、前記容器３の凹部３ｂから前記突部２ａを抜き出させて、前記容器３と把手とを比較的容易に分離することができる。この結果、前記容器３を廃プラスチックとして再生利用するにあたり必要とされる、前記容器３と前記把手との選別作業の労力の軽減を図ることができる。
【図面の簡単な説明】
【図１】把手の使用状態を示す斜視図
【図２】把手の使用状態を示す側面図
【図３】把手の使用状態を示す縦断面図
【図４】把手の使用状態を示す縦断面図（グリップ部１屈曲状態）
【図５】把手の使用状態を示す縦断面図（把手取り外し状態）
【符号の説明】
１  グリップ部
１ａ  側部（グリップ部１の）
１ｃ  溝
２  脚部
２ａ  突部
３  容器
３ａ  側部（容器３の）
３ｂ  凹部
Ｈ  上下方向
【図１】
0003620620.tif 000002
【図２】
0003620620.tif 000003
【図３】
0003620620.tif 000004
【図４】
0003620620.tif 000005
【図５】
0003620620.tif 000006